(57)【要約】【課題】原稿の寸法に適合した搬送モードが選択される画像読取装置および複写機を提供する。【解決手段】搬送方向の長さがあらかじめ定められた長さを越える長さの長尺原稿を読み取る長尺モードを有し、長尺モードか否かに応じて、長尺モードの場合には、長尺原稿を原稿トレイ上の横の案内壁に寄せた位置に載置させて長尺原稿を案内壁に案内させながら搬送させる「コーナガイド」の状態にあるときに原稿搬送を許容し、長尺モードでないときは、原稿を一対の案内部材により原稿トレイ上の幅方向中央に寄せた位置に載置させて原稿を一対の案内部材に案内させながら搬送させる「センタガイド」の状態にあるときに原稿搬送を許容する。【選択図】        図１２
2018157569.tif 000002
【特許請求の範囲】
【請求項１】
原稿が載置される原稿載置部と、
前記原稿を搬送して読取位置を通過させる原稿搬送部と、
前記読取位置で原稿の画像を読み取る原稿読取部とを備え、
前記原稿が搬送方向の長さが所定の長さを超える長尺原稿のとき、前記搬送される原稿の傾き補正処理を行う第１の処理を行い、
前記原稿が長尺原稿ではないとき、前記読み取られた画像の傾き補正処理を行う第２の処理を行うことを特徴とする画像読取装置。
【請求項２】
原稿が長尺である旨を受け付ける受付部を備え、
長尺原稿である旨を受け付けると、前記原稿を長尺原稿とすることを特徴とする請求項１記載の画像読取装置。
【請求項３】
前記原稿載置部は、長尺原稿が載置されたことを検出する検出部を更に備え、
長尺原稿が載置されたことを検出すると、前記原稿を長尺原稿とすることを特徴とする請求項１記載の画像読取装置。
【請求項４】
請求項１から３のうちいずれか１項記載の画像読取装置と、
前記画像読取装置で生成された画像信号に基づく画像を用紙上に形成する画像形成装置とを備えたことを特徴とする複写機。
【発明の詳細な説明】
【技術分野】
【０００１】
本発明は、画像読取装置および複写機に関する。
【背景技術】
【０００２】
特許文献１には、原稿の傾きの修正を画質設定に応じて実行するか否かを選択する原稿読取装置が開示されている。
【０００３】
また、特許文献２には、原稿長測定手段を備え、その原稿長測定手段によって測定された原稿の長さに基づいて原稿の傾き修正を実行するか否かを判断する画像読取装置が開示されている。
【先行技術文献】
【特許文献】
【０００４】
【特許文献１】特開２０１０−０２１８３２号公報
【特許文献２】特開２０１０−２０６６９６号公報
【発明の概要】
【発明が解決しようとする課題】
【０００５】
本発明は、原稿の寸法に適合した搬送モードが選択される画像読取装置および複写機を提供することを目的とする。
【課題を解決するための手段】
【０００６】
請求項１は、
画像が形成されている原稿が載置される載置台、
前記載置台の、載置台上に載置された原稿の搬送方向に交わる幅方向一方の側縁に沿って立設し、原稿の側縁に接して該原稿の搬送を案内する案内壁、および
前記幅方向に互いに逆向きに移動自在であって前記載置台上に載置される原稿を該幅方向両側から挟み該載置台の幅方向中央に寄せて該原稿の搬送を案内する一対の案内部材を有する原稿載置部と、
前記載置台上に載置された原稿を１枚ずつ順次に搬送して読取位置を通過させる原稿搬送部と、
前記読取位置を通過する原稿上の画像を読み取る原稿読取部とを備え、
前記搬送方向の長さがあらかじめ定められた長さを越える長さの長尺原稿を読み取る長尺モードを有し、さらに、
前記長尺モードか否かに応じて、該長尺モードの場合には、前記長尺原稿を前記載置台上の前記案内壁に寄せた位置に載置させて該長尺原稿を該案内壁に案内させながら搬送させる第１の搬送モードにあるときに原稿搬送を許容し、該長尺モードでないときは、前記原稿を前記一対の案内部材により前記載置台上の前記幅方向中央に寄せた位置に載置させて該原稿を該一対の案内部材に案内させながら搬送させる第２の搬送モードにあるときに原稿搬送を許容する原稿搬送許否部を備えたことを特徴とする画像読取装置である。
【０００７】
請求項２は、
前記原稿搬送部による原稿搬送の、前記読取位置よりも上流側に配置され、搬送されてきた原稿の先端の突当てを受けて該原稿の傾きを補正する第１の傾き補正部と、
前記第１の傾き補正部を作用させる第１の補正モードと該第１の傾き補正部を作用させない第２の傾き補正部とを切り替える補正モード切替部とを備え、
前記原稿搬送許否部は、前記長尺モードであっても、前記補正モード切替部により前記第１の補正モードに切り替えられている場合には、前記第１の搬送モードと前記第２の搬送モードとのいずれにあるときにも原稿搬送を許容するものであることを特徴とする請求項１記載の画像読取装置である。
【０００８】
請求項３は、
前記原稿読取部で生成された画像信号に基づいて該画像信号により表わされる画像の傾き量を算出し、算出された傾き量に基づいて傾きが補正された画像を表わす新たな画像信号を生成する第２の傾き補正部を備え、
前記補正モード切替部が、前記第１の傾き補正部による傾き補正と前記第２の傾き補正部による傾き補正とを択一的に切り替えるものであることを特徴とする請求項２記載の画像読取装置である。
【０００９】
請求項４は、
前記案内壁が、前記第１の案内部材を収納させて該案内壁による前記原稿の案内を可能とする収納部を有し、
前記一対の案内部材が、前記第１の案内部材を前記収納部に収納させて該一対の案内部材のうちの該第１の案内部材を除く第２の案内部材のみを前記幅方向に移動させる第１の移動モードと、前記第１の案内部材と前記第２の案内部材を前記載置台の前記幅方向に互いに逆向きに移動させる第２の移動モードとが切替自在な部材であることを特徴とする請求項１から３のうちいずれか１項記載の画像読取装置である。
【００１０】
請求項５は、
前記第１の案内部材を前記案内壁に寄せた位置において該第１の案内部材が前記載置台から着脱自在なものであることを特徴とする請求項１から３のうちいずれか１項記載の画像読取装置である。
【００１１】
請求項６は、
請求項１から５のうちいずれか１項記載の画像読取装置と、
前記画像読取装置で生成された画像信号に基づく画像を用紙上に形成する画像形成装置とを備えたことを特徴とする複写機である。
【発明の効果】
【００１２】
請求項１の画像読取装置および請求項６の複写機によれば、長尺原稿か否かに応じてそれぞれ適合した搬送モードが選択される。
【００１３】
請求項２の画像読取装置によれば、長尺原稿のときの規制が緩和される。
【００１４】
請求項３の画像読取装置によれば、常に傾き補正が行なわれる。
【００１５】
請求項４の画像読取装置によれば、搬送モードの切替えが容易でる。
【００１６】
請求項５の画像読取装置によれば、いずれの搬送モードにあるか明瞭に分かる。
【図面の簡単な説明】
【００１７】
【図１】本発明の一実施形態としての画像読取装置および複写機を含む複合機のブロック図である。
【図２】図１にブロック図で示した複合機の、主に機械的な構成を示した模式図である。
【図３】図２に示す複合機の外観上部を示した斜視図である。
【図４】図１，図２に示す画像読取装置の動作説明図である。
【図５】画像傾き補正処理の処理内容の説明図である。
【図６】画像形成装置の上部を示した斜視図である。
【図７】画像読取装置の開閉カバーを開いてその内部を示した図である。
【図８】センタガイドとコーナガイドとの切替えを実現する切替構造の第１例を示した図である。
【図９】センタガイドとコーナガイドとの切替えを実現する切替構造の第２例を示した図である。
【図１０】補正切替設定画面を示した図である。
【図１１】長尺原稿設定ボタンを示した図である。
【図１２】図３に示すスタートボタンが押されたときの、本実施形態の複合機を構成する画像読取装置の動作シーケンスの第１例を示すフローチャートである。
【図１３】図３に示すスタートボタンが押されたときの画像読取装置の動作シーケンスの第２例を示すフローチャートである。
【発明を実施するための形態】
【００１８】
以下、本発明の実施の形態を説明する。
【００１９】
図１は、本発明の一実施形態としての画像読取装置および複写機を含む複合機のブロック図である。
【００２０】
この複合機１は、画像読取装置１０と画像形成装置２０を備えている。
【００２１】
画像読取装置１０では、原稿上の画像が読み取られて画像信号が生成され、その画像信号が後述する信号処理部３０に入力されて様々な信号処理が施される。この画像読取装置１０では、読取り対象の画像が記録されている原稿が読取位置を通過する搬送路上を搬送され、その原稿が読取位置を通過する際にその原稿上の画像が読み取られる。この画像読取装置１０は、本発明にいう画像読取装置の一例に相当する。詳細は後述する。
【００２２】
また、画像形成装置２０では、画像信号に基づく画像が用紙上に形成され、画像が形成された用紙Ｐがこの画像形成装置２０から排出される。ここでは、いわゆる電子写真方式の画像形成装置を念頭に置いているが、この画像形成装置２０は、電子写真方式である必要はなく、インクジェット方式やその他の方式の画像形成装置であってもよい。
【００２３】
尚、この画像形成装置２０で用紙Ｐ上に形成される画像は、以下に説明するように、必ずしも画像読取装置１０での原稿上の画像の読取りにより得られた画像信号である必要はなく、外部から入力されてきた画像信号であってもよい。
【００２４】
この複合機１には、信号処理部３０が備えられている。この信号処理部３０では、画像読取装置１０で得られた画像信号や外部から入力されてきた画像信号に、そのモードに応じた様々な信号処理が施される。
【００２５】
さらに、この複合機１には、Ｉ／Ｏインタフェース４０およびＦＡＸインタフェース５０が備えられている。
【００２６】
Ｉ／Ｏインタフェース４０は、この複合機１と、典型的にはコンピュータで構成される画像編集装置（図示せず）との間の通信を担っている。Ｉ／Ｏインタフェース４０は、画像読取装置１０で得られた画像信号を信号処理部３０を経由して受け取り、画像編集装置に送信する。この場合、この複合機１はスキャナとしての機能を担っていることになる。また、Ｉ／Ｏインタフェース４０では画像編集装置から送信されてきた画像信号が受信される。このＩ／Ｏインタフェース４０で受信された画像信号は、信号処理部３０を経由して画像形成装置２０に送られる。画像形成装置２０では、その送られてきた画像信号に基づいて用紙上に画像を形成する。この場合、この複合機１は、プリンタとしての機能を担っている。
【００２７】
また、ＦＡＸインタフェース５０は、電話回線に接続されてファクシミリ機能を担うモジュールである。すなわち、ＦＡＸ送信モードでは、画像読取装置１０でファクシミリ送信用の画像が記録されている原稿が読み取られて画像信号が生成され、その生成された画像信号が信号処理部３０およびＦＡＸインタフェース５０を経由して受信先に向けて電話回線に送り出される。また、ＦＡＸ受信モードでは、電話回線を通じて送信されてきた画像信号がＦＡＸインタフェース５０で受信され、信号処理部３０を経由して画像形成装置２０に入力される。画像形成装置２０では、その入力されてきた画像信号に基づく画像が用紙上にプリント出力される。
【００２８】
さらに、この複合機１はコピー機能を有する。コピーモードでは、画像読取装置１０で原稿を読み取って得た画像信号が信号処理部３０を経由して画像形成装置２０に入力され、この画像形成装置２０において、入力されてきた画像信号に基づく画像が用紙上にプリント出力される。このコピー機能が、本発明にいう複写機の一例に相当する。
【００２９】
さらに、この複合機１は制御部６０を備えている。この制御部６０には、ユーザインタフェース６１が含まれている。この制御部６０は、例えばユーザインタフェース６１からのユーザの指示等に応じて上述の各種の機能やモードの切り替えの制御、その他、この複合機１に必要な全ての制御を担っている。
【００３０】
ここで、信号処理部３０、Ｉ／Ｏインタフェース４０、ＦＡＸインタフェース５０、および制御部６０は、画像読取装置１０の筐体内に備えられていてもよく、画像形成装置２０の筐体内に備えられていてもよく、それら画像読取装置１０の筐体内と画像形成装置２０の筐体内とに分かれて備えられていてもよい。ここで説明している複合機１には、図２に示すように、画像形成装置２０の筐体内に備えられている。ただし、ユーザインタフェース６１は、図３に示すように、画像形成装置２０の筐体の上面に備えられている。
【００３１】
図２は、図１にブロック図で示した複合機の、主に機械的な構成を示した模式図である。
【００３２】
この図２には、図１にも示す複合機１のうちの画像読取装置１０と画像形成装置２０の構造が示されている。図１に示す他の要素（信号処理部３０、Ｉ／Ｏインタフェース４０、ＦＡＸインタフェース５０、および制御部６０）は、回路部７０とし、まとめて１つのブロックで示されている。ただし、ユーザインタフェース６１については、図３を参照して別途説明する。
【００３３】
画像読取装置１０は、原稿上の画像を読み取る読取モードとして、搬送読取モードと静止読取モードを有する。
【００３４】
搬送読取モードでは、原稿トレイ１１上に置かれた原稿Ｍがユーザ操作（図３に示すスタートボタン６１１の押下）を契機として１枚ずつ、破線で示す搬送路上を矢印Ｓ方向に搬送され、読取位置ＳＰを通過する。原稿Ｍ上に記録されている画像は、この読取位置ＳＰを通過するときに、ランプ１３１により照明され、その反射光が読取光学系を構成する反射ミラー１３２，１３３，１３４やレンズ１３５を経由して読取センサ１３６に導かれ、その読取センサ１３６により原稿Ｍ上の画像が読み取られて画像信号が生成される。本実施形態では、反射ミラー１３２，１３３，１３４やレンズ１３５からなる読取光学系と読取センサ１３６とにより受光装置１３が構成されている。読取位置ＳＰを通過した原稿Ｍは、原稿排出トレイ１２上に排出される。この原稿Ｍの搬送を担う搬送部の詳細については後述する。
【００３５】
また、この画像読取装置１０には、原稿が１枚載置される透明ガラス板１４が備えられている。また、この画像読取装置１０は、図２の紙面に垂直な方向の奥側において左右に延びるヒンジが設けられており、透明ガラス板１４の上部が開くように手前側が持ち上がる構造となっている。
【００３６】
静止読取モードでは、これを持ち上げて透明ガラス板１４の上に原稿Ｍを１枚下向きにおいて、その透明ガラス板１４と原稿排出トレイ１２の下面との間に原稿を挟む。こうしておいてユーザ操作により読取りが開始されると、ランプ１３１やミラー１３２〜１３４が透明ガラス板１４の下面に沿って矢印Ｄ方向に移動し、読取センサ１３６によりその原稿上の画像が読み取られて画像信号が生成される。
【００３７】
次に画像形成装置２０の概要を説明する。
【００３８】
この画像形成装置２０は、いわゆる電子写真方式により、用紙Ｐ上に画像を形成するタイプの装置である。
【００３９】
この画像形成装置２０には、ブラック（Ｋ）、シアン（Ｃ）、マゼンタ（Ｍ），イエロー（Ｙ）の各色のトナーを使ってそれぞれトナー像を形成する画像形成ユニット２１Ｋ，２１Ｃ，２１Ｍ，２１Ｙが備えられている。
【００４０】
以下、各色を区別する必要がないときは、色を表わすＫ，Ｃ，Ｍ，Ｙの添字を省き、数字のみの符号を引用して説明する。
【００４１】
各画像形成ユニット２１には、矢印Ｂ方向にそれぞれ回転する、電子写真方式の各感光体２２が備えられている。各感光体２２は、不図示の帯電器により帯電され、露光器２３からの露光光の照射を受けて各感光体２２に静電潜像が形成される。さらにこの静電潜像が不図示の現像器によりトナーで現像されて各感光体２２上に各色のトナー像が形成される。
【００４２】
また、各画像形成ユニット２１の下には、感光体２２の配列に沿うように配置されロール２４１に張架されて矢印Ａ方向に循環移動する中間転写ベルト２４が設けられている。また、この中間転写ベルト２４を挟んで各感光体２２に対向する位置には各１次転写ロール２５が配置されている。
【００４３】
各感光体２２上に形成された各色のトナー像は、各１次転写ロール２５の作用により、中間転写ベルト２４上に順次に重なるように転写される。
【００４４】
各画像形成ユニット２１には、感光体２２の転写後の領域をクリーニングする不図示のクリーナが備えられており、各感光体２２はクリーナによりその表面が清掃される。
【００４５】
また、この画像形成装置２０には、２次転写ロール２６が備えられており、この位置に搬送されてきた用紙Ｐ上に、中間転写ベルト２４上に転写されたトナー像が転写される。
【００４６】
この画像形成装置２０の下部には、用紙を収容する２台の用紙トレイ２７Ａ，２７Ｂが備えられている。用紙Ｐ上へのトナー像の転写にあたっては、それらの用紙トレイ２７Ａ，２７Ｂのいずれかから用紙Ｐが１枚取り出され、搬送ロール２７１によって矢印Ｃ方向に搬送され、２次転写ロール２６の位置を通過する際に中間転写ベルト２４上のトナー像の転写を受ける。トナー像の転写を受けた用紙Ｐは、搬送ベルト２７２よりさらに搬送されて定着器２８を通過する。この定着器２８は加熱ロール２８１と加圧ロール２８２を備えており、搬送されてきた未定着のトナー像を載せた用紙Ｐを加熱ロール２８１と加圧ロール２８２との間に挟んで加熱および加圧し、これにより用紙Ｐ上の未定着トナー像がその用紙Ｐ上に定着される。定着トナー像からなる画像がプリントされた用紙Ｐは、排出ロール２７３により排紙トレイ２９上に排出される。
【００４７】
中間転写ベルト２４は、２次転写ロール２６の作用によりその中間転写ベルト２４上のトナー像が用紙Ｐ上に転写された後、クリーナ２４２によりその表面が清掃される。
【００４８】
図３は、図２に示す複合機の外観上部を示した斜視図である。
【００４９】
ここには、画像読取装置１０と、画像形成装置２０の上部の外観が示されている。
【００５０】
この図３に示す画像読取装置１０には、図２にも示した原稿トレイ１１と原稿排出トレイ１２が示されている。また、ここには、原稿トレイ１１上に置かれた原稿の幅方向の位置を規制して搬送される原稿を案内する案内部材１１７も示されている。原稿トレイ１１の上に載置された原稿は、案内部材１１７により幅方向の位置が規制され、そして後述するスタートボタン６１１が押されると、その案内部材１１７に案内されながら、原稿搬入口１１８から１枚ずつ順次に搬入される。この原稿搬入口１１８の上部は、原稿が詰まったときに開かれる開閉カバー１１９で覆われている。
【００５１】
前述の通り、この画像読取装置１０は、この図３に示すラインｎよりも上部が、奥側をヒンジにして上に持ち上げられる構造となっており、持ち上げた状態で、その下の透明ガラス板１４（図２参照）の上に原稿を下向きに載せ、持ち上げた上部を再び図３のように閉じてスタートボタン６１１を押す。すると、この画像読取装置１０では、前述した静止読取モードによる、原稿上の画像の読取りが行なわれる。
【００５２】
また、この図３に示す画像形成装置２０の上部には、ユーザインタフェース６１（図１を合わせて参照）が示されている。
【００５３】
この図３に示すユーザインタフェース６１は、上記のスタートボタン６１１、テンキーを含む複数の設定ボタン６１２、および表示を兼ねたタッチパネル６１３を有する。
【００５４】
スタートボタン６１１を押すと、画像読取装置１０における原稿の読取りが開始される。また、設定ボタン６１２では、コピー枚数や、ＦＡＸ送信時の受信先のＦＡＸ番号等が設定される。さらに、タッチパネル６１３では、そこに表示されている画面に応じて様々な設定が行なわれる。
【００５５】
図４は、図１，図２に示す画像読取装置の動作説明図である。
【００５６】
原稿トレイ１１上に乗せられた原稿Ｍは、一枚ずつ読取位置ＳＰを通過する搬送路上を矢印Ｓ方向に搬送されて原稿排出トレイ１２上に排出される。
【００５７】
この原稿Ｍの搬送を担う搬送部材として、図５には、第１ロール１１１、第２ロール１１２、第３ロール１１３、第４ロール１１４、第５ロール１１５、および第６ロール１１６が示されている。また、この搬送路上を搬送されている原稿の有無を検出するセンサとして、第１センサ１２１、第２センサ１２２、第３センサ１２３、第４センサ１２４、第５センサ１２５、および第６センサ１２６が示されている。
【００５８】
この搬送路には、原稿Ｍの傾きを矯正する機能が備えられている。ただし、この原稿傾き矯正機能を使うと、使わない場合と比べ大きな音が発生するため、この画像読取装置１０では、この原稿傾き矯正機能を使うか使わないかが使い分けられる。ここでは、この原稿傾き補正状態を使うモードを第１の補正モードと称し、この原稿傾き補正機能を使わないモードを第２の補正モードと称する。ここでは、原稿傾き補正機能を使う第１の補正モードにあるものとして、その原稿傾き補正機能について説明する。
【００５９】
第１ロール１１１は、原稿トレイ１１上に置かれた複数枚の原稿Ｍのうちの１枚をこの搬送路上に送り込む役割のロールである。第１ロール１１１により送り込まれた原稿Ｍは、その先端が第２ロール１１２に達した時点では、その第２ロール１１２は未だ回転せずに停止しており、このためこの送り込まれた原稿Ｍは、その先端が第２ロール１１２に突き当てられてわん曲し、これにより、原稿が左右に傾いた状態で送り込まれてきていたときはその傾きが矯正される。その後第２ロール１１２も回転し、原稿Ｍがさらに搬送されるが、この原稿Ｍはさらに第３ロール１１３に突き当てられて再度わん曲し、これにより原稿の傾きが再度矯正される。その後、その原稿Ｍが第３ロール１１３によりさらに送り込まれる。ただし、第２ロール１１２と第３ロール１１３の速度差により原稿Ｍが引っ張られないように、それら第２ロール１１２と第３ロール１１３との間に多少のわん曲が残った状態のまま搬送される。第３ロール１１３で搬送されてきた原稿はさらに第４ロール１１４で搬送されて読取位置ＳＰを通過する。この読取位置ＳＰでは、原稿Ｍは、その透明ガラス板１４１の上面に接した状態で搬送される。読取位置ＳＰを通過した原稿Ｍは、第５ロール１１５によりさらに搬送され、第６ロール１１６により原稿排出トレイ１２上に排出される。
【００６０】
第１センサ１２１〜第６センサ１２６では、送り込まれてきた原稿Ｍの、それらのセンサが配置された各位置の通過が検出され、これにより、ロールの回転開始や読取センサ１３６による読取り開始のタイミング等が調整される。読取センサ１３６による読取開始のタイミングに関しては、画像信号上での画像の傾き補正処理（図６を参照して後述する）を行なう場合は読取開始のタイミング調整が特に厳しく、この図５を参照しながら説明した原稿の傾き補正処理を実行して画像信号上で画像の傾き処理を行なわない場合と比べ、精密なタイミング調整が行なわれる。
【００６１】
ここで、読取位置ＳＰを通過する原稿Ｍの背面側、すなわち、読取位置ＳＰにある原稿Ｍをランプ１３１との間に挟む位置に、反射部材１３７が備えられている。
【００６２】
原稿Ｍが読取位置ＳＰを通過する際には、ランプ１３１から発せられた光が原稿Ｍを照射し、その反射光が受光装置１３に入射し読取センサ１３６により読み取られて画像信号が生成される。本実施形態における受光装置１３は、ミラー１３２〜１３４、レンズ１３５、および読取センサ１３６を備えている。
【００６３】
ランプ１３１と第１ミラー１３２は、第１キャリッジ１３Ａに組み込まれており、第２ミラー１３３と第３ミラー１３４は、第２キャリッジ１３Ｂに組み込まれている。
【００６４】
ここで、搬送読取モード、すなわち、原稿トレイ１１上に原稿Ｍを載せ、その原稿Ｍを第１ロール１１１で送り込んで搬送して読取位置ＳＰで読み取るモードにおいては、第１キャリッジ１３Ａおよび第２キャリッジ１３Ｂは、図５に示した静止位置に静止した状態で、読取位置ＳＰに搬送されてきた原稿Ｍをランプ１３１で照射しその反射光が読取センサ１３６で読み取られる。一方、静止読取モードのときは、透明ガラス板１４上に原稿が下向きに置かれ、第１キャリッジ１３Ａおよび第２キャリッジ１３Ｂが、副走査方向、すなわち矢印Ｄの方向に、その透明ガラス板１４の下面に沿って移動する。このとき、第２キャリッジ１３Ｂは、第１キャリッジ１３Ａの移動速度の１／２の速度で移動する。これにより透明ガラス板１４に置かれた原稿で反射した反射光の、レンズ１３５に至るまでの光路長が一定に保たれ、原稿上の画像が読取センサ１３６上に正しく結像される。
【００６５】
次に、本実施形態における第２の補正モードについて説明する。
【００６６】
本実施形態では、第２の補正モードにおいて画像傾き補正処理が行なわれる。この画像傾き補正処理は、原稿の読取りにより得られた画像信号に基づいて、その画像信号により表わされる画像の傾き量を算出し、その算出された傾き量に基づいて傾きが補正された画像を表わす新たな画像信号を生成する処理である。
【００６７】
画像読取装置１０で原稿を読み取って得た画像信号には、原稿に記録されている画像に加え、原稿自体と原稿から外れた背景（反射部材１３７）との境界線、すなわち原稿の端縁の情報が含まれている。ここでは先ず、入力されてきた画像信号に含まれている原稿の端縁の情報に基づいて、原稿の、搬送方向先端の縁が検出される。原稿の先端の縁が検出されると、次に原稿の傾き量が算出される。さらに、原稿の傾き量が算出されると、次に画像信号により表わされる画像の傾きが補正されて、傾きが補正された画像を表わす新たな画像信号が生成される。
【００６８】
図５は、画像傾き補正処理の処理内容の説明図である。
【００６９】
ここでは先ず、ハフ変換により原稿の先端の縁を表わす直線と、その直線の傾き角度が算出される。次に、アフィン変換に含まれる回転処理により、画像信号上で、原稿上の画像が、その傾き量に応じた量だけ回転され、傾きのない画像を表わす新たな画像信号が生成される。
【００７０】
ハフ変換およびアフィン変換は、広く知られた演算手法であり、ここではその概要の説明にとどめる。
【００７１】
図６のうちの図６（Ａ）〜（Ｃ）は、ハフ変換の説明図である。
【００７２】
前述の通り原稿は読取位置を通過する搬送路上を搬送され、読取位置通過中にその原稿上の画像が読み取られて画像信号が生成される。この画像信号には、原稿自体の端縁の情報が含まれている。
【００７３】
図６（Ａ）の横軸ｘは、原稿の幅方向の位置を表わしており、縦軸ｙは原稿の搬送方向を表わしている。
【００７４】
図６（Ａ）に示す直線Ｌは、画像信号として得られた、原稿の先端の縁を表わす直線である。ただし、この直線はこの時点では未だ不明であって、ここでは、得られた画像信号から、原稿の先端の縁の上にあると思われる点ａ〜ｆが抽出されたものとする。これらの点ａ〜ｆの中には、原稿の先端の縁を表わす直線Ｌ上の点（ここでは点ａ〜ｅ）も多数存在するが、エラーの点（ここでは点ｆで代表させている）も存在する。
【００７５】
直線は、原点Ｏからその直線におろした垂線の長さをｒ，傾きをθとしたとき、
ｒ＝ｘｃｏｓθ＋ｙｓｉｎθ      ・・・・（１）
で表わされ、図９（Ａ）に示すように、
ｒ＝ｒ０，θ＝θ０      ・・・・（２）
が定まると、図６（Ａ）に示す直線Ｌが一義的に定まることになる。
【００７６】
ハフ変換は、（ｒ，θ）＝（ｒ０，θ０）を求める演算手法である。
【００７７】
図６（Ｂ）は、図９（Ａ）の点ｂの一点のみを取り上げて、その点ｂを通る様々な直線（ここでは直線Ｌ１〜Ｌ５の５本で代表させている）を示した図である。
【００７８】
原点Ｏから各直線Ｌ１〜Ｌ５への各垂線をおろし、その垂線の長さをｒｉ、角度をθｉ（ｉ＝１，・・・，５）とする。図６（Ｂ）には、２本の直線Ｌ３，Ｌ４について、長さｒ３，ｒ４と角度θ３，θ４が示されている。
【００７９】
図６（Ｃ）は、垂線の長さｒ（横軸）と角度θ（縦軸）とからなるハフ空間を表わした図である。
【００８０】
図６（Ｂ）に示す、点ｂを通る多数の直線についての垂線の長さｒと角度θをプロットすると、図９（Ｃ）にグラフｂで示した正弦波状の曲線となる。このグラフｂの曲線は、点ｂを通る直線群を表わしている。
【００８１】
図６（Ａ）に示す点ｂだけでなく、点ａ〜ｆの全ての点について同様にして垂線の長さｒと角度θからなるグラフを求めると、図６（Ｃ）に示すグラフａ〜ｆとなる。
【００８２】
ここで、原稿の先端の縁に正しく乗っている点（ここでは点ａ〜ｅ）については、図６（Ｃ）に示すハフ空間上のある一点（ｒ０，θ０）を通り、これに対し、エラーの点（ここでは点ｆ）を通る直線群をあらわすグラフｆはその点（ｒ０，θ０）を通らない曲線となっている。
【００８３】
このように、画像信号上、原稿の先端の縁の上の点と思われる点を多数抽出して図６（Ｃ）のようなグラフを多数算出し、多数のグラフが一点に集中する点を見つけることにより、図６（Ａ）に示す直線Ｌを特定する（ｒ０，θ０）を求めることができる。
【００８４】
ここでは、画像信号に基づく上記のハフ変換により、原稿の先端の縁を表わす直線Ｌが認識される。
【００８５】
図６（Ｄ）にも原稿の先端の縁を表わす直線Ｌが示されている。
【００８６】
この段階では、この直線Ｌは、図６（Ａ）〜（Ｃ）を参照して説明したハフ変換により、既に一意に定まっている。すなわち、角度θ０が確定している。
【００８７】
ここでは、この角度θ０を使って、
τ０＝９０°―θ０      ・・・・（３）
の演算により直線Ｌの傾き角度τ０、すなわち原稿の傾き量が算出される。
【００８８】
さらに、直線Ｌを回転させて傾きのない直線Ｌ’を算出する処理を行なう。
【００８９】
すなわち、直線Ｌ上の点（ここでは点ｂで代表させる）の座標を（ｘ，ｙ）としたとき、その点ｂを角度τ０だけ回転させた新たな座標（ｘ’，ｙ’）は、
ｘ’＝ｘｃｏｓτ０―ｙｓｉｎτ０
ｙ’＝ｘｓｉｎτ０＋ｙｃｏｓτ０      ・・・・（４）
となる。
【００９０】
ここでは、画像信号により表わされる画像を構成している全ての画素の座標を上記（４）式に従って変換する。こうすることにより、原稿が傾いた状態のまま読み取られることにより得られた、傾いた画像を表わす画像信号が、原稿の傾きが無い状態で読み取られたときの画像を表わす新たな画像信号に変換される。
【００９１】
本実施形態では、上記の画像傾き補正処理と、図５を参照して説明した原稿傾き補正処理が動作モードに応じて択一的に実行される。
【００９２】
図６は、画像形成装置の上部を示した斜視図である。
【００９３】
図３を参照して説明した通り、この画像読取装置１０には、原稿トレイ１１および原稿排出トレイ１２が備えれられている。原稿トレイ１１上に載置された原稿は原稿搬入口１１８から搬入され前述のようにして原稿上の画像が読み取られて原稿排出トレイ１２上に排出される。
【００９４】
また、原稿トレイ１１には、一対の案内部材１１７が備えられている。これら一対の案内部材１１７は、幅方向に互いに逆向きに移動自在であって、原稿トレイ１１上に載置される原稿を幅方向両側から挟んで幅方向中央に寄せる。そして原稿搬送にあたっては、その原稿を両側から支えて原稿の搬送を案内する。これら一対の案内部材１１７については後で詳述する。
【００９５】
原稿搬入口１１８の上部には、原稿が詰まったときに開かれる開閉カバー１１９が備えられている。この開閉カバー１１９には把手１１９ａが備えられており、この把手１１９ａに指を掛けて上に引き上げることによりこの開閉カバーを開くことができる。
【００９６】
また、この画像読取装置１０には、原稿トレイ１１の奥側の側縁に沿って立設する案内壁１３０が設けられている。この案内壁１３０には、窪み１３１が形成されている。一対の案内部材１１７を幅方向に最大限開くと、一対の案内部材１１７のうちの奥側の第１の案内部材１１７ａがこの窪みに入り込む。第１の案内部材１１７ａと手前側の第２の案内部材１１７ｂは、それらのうちの一方を手でスライドさせると、原稿トレイ１１の幅方向中央から等距離に位置するように、もう一方もスライドし、原稿を幅方向中央に寄せる作用を有する。ここでは、これを「センタガイド」と称する。ただし、奥側の第１の案内部材１１７ａが案内壁１３０の窪み１３１に入り込むまでスライドさせると、第１の案内部材１１７ａをその窪みに入り込ませた状態のまま、手前側の第２の案内部材１１７ｂのみをスライドさせることができる。このときは、原稿トレイ１１上の原稿は、奥側の案内壁１３０と手前側の第２の案内部材１１７ｂとに挟まれて、原稿トレイ１１の奥側に寄った位置に寄せられる。ここでは、これを「コーナガイド」と称する。
【００９７】
図７は、画像読取装置の開閉カバーを開いてその内部を示した図である。
【００９８】
原稿搬入口１１８の直ぐ奥には、第１ロール１１１と第１センサ１２１が備えられている（図４を合わせて参照）。第１ロール１１１は、原稿トレイ１１上に載置された原稿を１枚ずつ最初に送り込むロールである。また、第１センサ１２１は第１ロール１１１により送り込まれてきた原稿の先端に押されて下に倒れ、その倒れを検出するセンサである。この第１センサ１２１では、第１ロール１１１により原稿が送り込まれてきたことが検出される。
【００９９】
第１ロール１１１および第１センサ１２１よりも奥側には、第２ロール１１２が備えられており、さらにその奥側には、第２センサ１２２が備えられている。第２ロール１１２は、図４を参照して説明した通り、第１ロール１１１により送り込まれてきた原稿の傾きの矯正と、その原稿をさらに先に送り込む役割のロールである。また第２センサ１２２は、第１センサ１２１と同様に原稿の先端に押されて下に倒れ、その倒れたことを検出するセンサであって、原稿の幅方向に複数個配列されている。これらの第２センサ１２２は、原稿が第２ロール１１２を通過して搬送されてきたことを検出することのほか、それら複数の第２センサ１２２のうちのどの第２センサで検出されたかによって、どの幅の原稿が搬送されてきたかを検出するセンサである。
【０１００】
図８は、センタガイドとコーナガイドとの切替えを実現する切替構造の第１例を示した図である。
【０１０１】
一対の案内部材１１７のうちの奥側（図８では左側）の第１の案内部材１１７ａからは、手前側（図８では右側）の第２の案内部材１１７ｂに向かって第１のスライドアーム７０１ａが延びている。この第１のスライドアーム７０１ａには、第１のラックギア７０２ａが設けられている。この第１のスライドアーム７０１ａは、第１の案内部材１１７ａのスライドを補助する部材であって、第１の案内部材１１７ａと一体にスライドする。
また、第２の案内部材１１７ｂからも同様に、第１の案内部材１１７ａに向かって第２のスライドアーム７０１ｂが延びている。この第２のスライドアーム７０１ｂにも、第２のラックギア７０２ｂが設けられている。この第２のスライドアーム７０１ｂは、第２の案内部材１１７ｂのスライドを案内する部材であって、第２の案内部材１１７ｂに固定されていて第２の案内部材１１７ｂと一体にスライドする。これら第１のスライドアーム７０１ａと第２のスライドアーム７０１ｂとの間には、ピニオンギア７１０が備えられている。このピニオンギア７１０には、第１のスライドアーム７０１ａと第２のスライドアーム７０１ｂとのそれぞれに設けられている第１のラックギア７０２ａと第２のラックギア７０２ｂの双方が噛み合う構造となっている。ただし、第１のラックギア７０２ａは、第２のラックギア７０２ｂよりも短かく、第１の案内部材１１７ａと第２の案内部材１１７ｂの間隔を、第１の案内部材１１７ａが案内壁１３０の窪み１３１に入り込むまで最大限に広げると、この図７に示すように、第２のラックギア７０２ｂがピニオンギア７１０に噛み合った状態を保ちながら、第１のラックギア７０２ａがピニオンギア７１０から外れる。この第１のラックギア７０２ａがピニオンギア７１０から外れた状態、すなわち第１の案内部材１１７ａが案内壁１３０の窪み１３１に入り込んだ状態では、第２の案内部材１１７ｂのみをスライドさせることができる。第１の案内部材１１７ａを案内壁１３０の窪み１３１に入り込ませた状態において、第２の案内部材１１７ｂを最大限手前側（図８では右側）に位置するように広げ、次に第１の案内部材１１７ａを窪み１３１から押し出すようにスライドさせると第１のラックギア７０１ａがピニオンギア７３０に噛み合い、第１の案内部材１１７ａと第２の案内部材１１７ｂが互いに接離する方向に移動する状態となる。
【０１０２】
ここには、第１の案内部材１１７ａが案内壁１３０の窪み１３１に入っていることを検出する第１のリミットセンサ７０３ａと、第２の案内部材１１７ｂが最大限手前が側に位置していることを検出するリミットセンサ７０３ｂが備えられている。第１のリミットセンサ７０３ａが、第１の案内部材１１７ａが窪み１３１に入り込んでいることを表わすオン状態にあり、第２のリミットセンサ７０３ｂが、第２の案内部材１１７ｂが最大限手前側の位置にはないことを表わすオフ状態にあると、この画像読取装置１０は、前述の「コーナガイド」の状態にあると認識する。一方、第１の案内部材１１７ａと第２のリミットセンサ７０３ｂの双方がオフ状態にあると、前述の「センタガイド」の状態にあると認識する。
【０１０３】
尚、第２の案内部材１１７ｂが最大限手前側に移動した位置（第２のリミットスイッチ７０３ｂがオンの状態）ではない状態にあっても、第１の案内部材１１７ａを窪み１３１から押し出すと、第１の案内部材１１７ａ側のラックギア７０２ａがピニオンギア７１０に噛み合うことになる。この状態が生じると、原稿が「コーナガイド」でも「センタガイド」でもない中途半端ない位置に規制されることになる。図８に示す第１例では、これを防止するため、第２のリミットスイッチ７０３ｂがオフの状態にあるときに、第１のリミットスイッチ７０３ａがオフに変化すると警告を発し、第２のリミットスイッチ７０３ｂがオンの状態（第２の案内部材１１７ｂが最大限開いた状態）にある状態からやり直すように促される。
【０１０４】
図９は、センタガイドとコーナガイドとの切替えを実現する切替構造の第２例を示した図である。
【０１０５】
この第２例では、第１の案内部材１１７ａは第１のスライドアーム７０１ａから着脱自在となっている。図９（Ａ）〜（Ｄ）は、その着脱機構の動作を、装着された状態（図９（Ａ））から外した状態（図９（Ｄ））まで、順に示した模式図である。
【０１０６】
第１のスライドアーム７０１ａには第１の案内部材１１７ａを固定するための固定部７０５ａが備えられている。この固定部７０５ａには、第１の案内部材７０１ａの差込部１２７ａが差し込まれる固定穴７０４ａが形成されている。図９（Ａ）に示すように、固定穴７０４ａに第１の案内部材１１７ａの差込部１２７ａが差し込まれることにより、第１の案内部材１１７ａが第１のスライドアーム７０１ａに固定される。また、第１の案内部材１１７ａには、鉤部１３７ａが設けられている。この鉤部１３７ａは、図９（Ａ）に示す固定状態において第１のスライドアーム７０１ａに設けられている係合突起７０６ａに引っ掛っていて、これが第１の案内部材１１７ａの抜け止めとなっている。
【０１０７】
さらに、画像読取装置の筐体の一部を成す案内壁１３０（図６，図７参照）の、原稿トレイ１１よりも下に広がった部分に、鉤部１３７ａに向かって突起した突起部１３２が設けられている。
【０１０８】
ここで第１の案内部材１１７ａが図９（Ａ）に示すように第１のスライドアーム７０１ａに固定された状態において、第１の案内部材１１７ａを案内壁１３０側（図６を合わせて参照）に向かって矢印ｙ方向にスライドさせる。すると、図９（Ｂ）に示すように、鉤部１３７ａが突起部１３２に突き当たり、さらに図９（Ｃ）に示すように鉤部１３７ａが突起部１３２に押されて撓んで鉤部１３７ａが係合突起７０６ａから外れる。その状態のまま、第１の案内部材１１７ａを上に持ち上げると、図９（Ｄ）に示すように、第１の案内部材１１７ａが第１のスライドアーム７０１ａから取り外される。
【０１０９】
第１の案内部材１１７ａを第１のスライドアーム７０１ａに装着するには、第１のスライドアーム７０１ａを案内壁１３０の突起部１３２との干渉のない位置まで移動させておいて、図９（Ｄ）の状態から第１の案内部材１１７ａを下に下げる。すると第１の案内ｂ部材１１７ａの差込部１２７ａが第１のスライドアーム７０１ａの固定穴７０４ａに入り込み、かつ鉤部１３７ａが係合突起７０６ａと干渉して撓みながらその係合突起７０６ａを乗り越えて、図９（Ａ）に示す状態に装着される。
【０１１０】
この第２例のように、第１の案内部材１１７ａを着脱する機構を備えることによってもも、「センタガイド」と「コーナガイド」を切り替えることができる。
【０１１１】
第１の案内部材１１７ａの、第１のスライドアーム７０１ａへの着脱、すなわち「センタガイド」と「コーナガイド」との切替えは、その着脱を検出するスイッチ（不図示）により、この画像読取装置１０に伝えられる。
【０１１２】
ここで、「センタガイド」と「コーナガイド」の利点の相違について説明する。
【０１１３】
「センタガイド」では、原稿トレイ１１上に置かれた原稿は一対の案内部材１１７（図３，図６参照）により、原稿トレイ１１の幅方向中央に寄った位置に置かれ、それらの案内部材１１７に案内されながら搬送されて読み取られる。この案内部材１１７は、案内壁１３０（図６参照）と比べると搬送方向の長さが短かく、また、幅方向に移動自在であるため、案内壁１３０に案内させる場合と比べると原稿が斜めに傾き易い。斜めに傾いたまま搬送されると、読取センサ１３６（図４参照）による原稿読取り幅から食み出るおそれがある。その場合、画像の一部が読み取られずに一部が欠けた画像となる。これに対し「サイドガイド」の場合、原稿の姿勢が安定し易く、原稿が斜めに傾いたまま搬送されるおそれが小さい。ただし、「サイドガイド」の場合、原稿は、案内壁１３０との間だけでなく搬送中にわたって、一方の側縁が部材と摺り続けることになり、原稿にストレスがかかり、紙粉の発生が多く、装置内部に紙粉が溜まり易く、読取りに影響して紙粉による画像欠陥が発生し易い。
【０１１４】
そこで、本実施形態では、基本的には、通常のサイズの原稿の場合は、「センタガイド」としている。そして、長尺原稿の場合は、傾きがあるとその傾きが小さくても先端と後端とでは横に大きくずれるため、「コーナガイド」に切り替えることとしている。本実施形態における「センタガイド」および「コーナガイド」は、それぞれ、本発明にいう「第１の搬送モード」および「第２の搬送モード」の各一例に相当する。
【０１１５】
次に本実施形態における画像読取動作について説明する。
【０１１６】
図１０は、補正切替設定画面を示した図である。この補正切替設定画面８０は、ユーザによる初期設定操作時にタッチパネル６１３（図３参照）上に表示される画面である。
【０１１７】
この補正切替設定画面８０には、「オート」、「原稿補正」、および「画像補正」の押ボタンが並んでいる。ここにはさらに、「設定」ボタンおよび「キャンセル」ボタンも表示されている。ここでは、「オート」は後回しにし、「原稿補正」および「画像補正」について先に説明する。「原稿補正」は図４を参照して説明した、搬送される原稿の傾きを補正する第１の補正モードに設定する押ボタンである。また、「画像補正」は、図５を参照して説明した、原稿の読取りに得られた画像信号に基づいて画像の傾きを補正する第２の補正モードに設定する押ボタンである。「オート」は、第１の補正モードと第２の補正モードを、後述する条件に従って自動的に切り替えることを設定する押ボタンである。
【０１１８】
この図１０に示す補正切替設定画面８０上で「オート」、「原稿補正」あるいは「画像補正」のうちの押ボタンを押して、さらに「設定」ボタンを押すと、その押された押ボタンに応じて、「オート」、「原稿補正」、あるいは「画像補正」のいずれかが設定されて、この補正切替設定画面８０がタッチパネル６１３から消える。「キャンセル」ボタンを押すと、新たな設定は行なわれずに、この補正切替設定画面８０がタッチパネル６１３から消える。ただし、ここでの「設定」は、図２に示す回路部７０に備えられている記憶部（不図示）への「記憶」を意味している。その記憶内容に基づく実際の動作の準備は別途行なわれる。詳細は後述する。
【０１１９】
ここで、図１０に示す補正切替設定画面８０上での設定は初期設定であり、一度設定するとジョブが何度繰り返されても、次に設定し直すまで有効である。
【０１２０】
図１１は、長尺原稿設定ボタンを示した図である。
【０１２１】
本実施形態では、原稿トレイ１１上に、搬送方向の長さがあらかじめ定められた長さ（一例として４４０ｍｍ）以上の原稿を載せてその原稿を読み取らせようとしたときは、長尺モード設定が行なわれる。この長尺モード設定は、タッチパネル６１３上に表示される、図１１に示す長尺原稿設定ボタン９１を押すことにより行なわれる。この長尺モードの設定は、図１０に示す補正切替の設定とは異なり、読取りの１回のジョブごとに、その読取りに先立って行なわれる。そのジョブの原稿の読取りが終了すると、長尺モードであることの設定は解除され、長尺原稿よりも短い通常のサイズの原稿を読み取るモードに戻る。
【０１２２】
尚、ここでは、長尺モードの設定を、タッチパネル６１３上に表示される、図１１に示す長尺原稿設定ボタン９１を押す旨、説明したが、図３に示すユーザインタフェース６１上の設定ボタン６１２の１つとして長尺原稿設定ボタンを設けてもよい。あるいは、原稿トレイ１１上に長尺原稿が載置されたことを検出するセンサを備えて、ユーザによる設定の手間を省いてもよい。
【０１２３】
図１２は、図３に示すスタートボタンが押されたときの、本実施形態の複合機を構成する画像読取装置の動作シーケンスの第１例を示すフローチャートである。
【０１２４】
ここでは、先ず原稿トレイ１１上に１枚又は複数枚の原稿が載置される。そして、その載置された原稿が長尺原稿のときは、図１１に示す長尺原稿設定ボタン９１が押される。そしてその後、図３に示すスタートボタン６１１が押されると、この図１２に示す動作シーケンスに従う動作が実行される。
【０１２５】
尚、ここでは初期設定として既に、図１０に示す補正切替画面８０上で「オート」、「原稿補正」、あるいは「画像補正」のいずれかが設定されている。
【０１２６】
この図１２に示す動作シーケンスに従う動作の実行が開始されると、先ず、今回のジョブが長尺原稿（図１１参照）か否かの判定が行なわれる（ステップＳ１１）。
【０１２７】
長尺原稿ではないと判定されると、ステップＳ１２に進み、補正切替（図１０参照）が「オート」、「原稿補正」、「画像補正」のいずれに設定されているかが判定される（ステップＳ１２）。ここで、補正切替設定画面８０上での「設定」は、上述したとおり、ユーザ操作による設定を内部に記憶しておくことをいう。そして「原稿補正」が設定（記憶）されているときは、図４を参照して説明した原稿の傾きを補正する第１の補正モードに従う「原稿補正」の動作の設定が行なわれる（ステップＳ１３）、一方、ステップＳ１２において「画像補正」が設定されていると判定されたときは、図５を参照して説明した、読み取って得た画像信号に基づく画像の傾きを補正する第２の補正モードに従う「画像補正」の動作の設定が行なわれる（ステップＳ１４）。また、ステップＳ１２において「オート」であると判定されると、ここでは長尺原稿ではないので（ステップＳ１１）、「画像補正」が設定される。尚、これらのステップＳ１３における「原稿補正」の設定あるいはステップＳ１４における「画像補正」の設定は、実際の補正動作の具体的な準備を意味する。
【０１２８】
ステップＳ１３における「原稿補正」の設定あるいはステップＳ０３における「画像補正」の設定が行なわれるとステップＳ１５に進み、案内部材１１７ａ（図３，図６参照）が「センタガイド」の状態にあるか否かが判定される（ステップＳ１５）。そして「センタガイド」になっていないときは、タッチパネル６１３（図３参照）に「センタガイド」に変更するようメッセージが出されて（ステップＳ１６）、この動作シーケンスを終了する。
【０１２９】
本実施形態では、長尺原稿ではないときは、「原稿補正」および「画像補正」のいずれの場合であっても、「センタガイド」が選択されている。
【０１３０】
ステップＳ１５で「センタガイド」の状態にあることが判定されると、ステップＳ１７に進み、今回のジョブの終了まで（ステップＳ１８）、その設定されている「原稿補正」あるいは「画像補正」を実行しながら、原稿の搬送と読取りが１枚ずつ繰り返される。
【０１３１】
ステップＳ１１において、今回のジョブが長尺原稿であると判定されると、ステップＳ２１に進み、ここでも、補正切替（図１０参照）が「オート」、「原稿補正」、「画像補正」のいずれに設定されているかが判定される。そして「原稿補正」が設定（記憶）されているときは、図４を参照して説明した、原稿の傾きを補正する第１の補正モードに従う「原稿補正」の動作の設定が行なわれる（ステップＳ２２）。一方、ステップＳ２１において「画像補正」が設定（記憶）されていると判定されたときは、図５を参照して説明した画像信号に基づく画像の傾きを補正する第２の補正モードに従う「画像補正」の動作の設定が行なわれる。ここでは、長尺原稿であるため、「オート」の場合は「原稿補正」（ステップＳ２２）に進む。ここで、これらステップＳ２２における「原稿補正」の設定あるいはステップＳ２３における「画像補正」の設定は、ステップＳＳ１３，Ｓ１４の場合と同様、実際の補正動作の具体的な準備をいう。
【０１３２】
ステップＳ２２における「原稿補正」の設定あるいはステップＳ２３における「画像補正」の設定が行なわれるとステップＳ２４に進み、案内部材１１７（図３，図６参照）が「コーナガイド」の状態にあるか否かが判定される（ステップＳ２４）。本実施形態では、長尺原稿のときは、「原稿補正」および「画像補正」のいずれの場合にも、「コーナガイド」が選択されている。「コーナガイド」の状態にないときは、タッチパネル６１３（図３参照）に「コーナガイド」に変更するようメッセージが出されて（ステップＳ２５）、この動作シーケンスを終了する。ステップＳ２４で「コーナガイド」の状態にあることが判定されると、ステップＳ１７に進み、今回のジョブの終了まで（ステップＳ１８）、その設定されている「原稿補正」あるいは「画像補正」を実行しながら、原稿の搬送と読取りが１枚ずつ繰り返される。
【０１３３】
図１３は、図３に示すスタートボタンが押されたときの画像読取装置の動作シーケンスの第２例を示すフローチャートである。ここでは図１２に示す第１例との相違について説明する。
【０１３４】
ここでも初期設定により補正切替設定（図１０参照）が行なわれており、かつ今回のジョブが長尺原稿であるか否か（図１１参照）の設定が行なわれる。その後スタートボタン６１１が押されると、図１２の動作シーケンスに代えて、図１３に示す動作シーケンスが実行される。
【０１３５】
この図１３に示す第２例の動作シーケンスの、図１２に示す第１例の動作シーケンスとの相違点は、以下の１点のみである。すなわち、図１２に示す第１例の動作シーケンスの場合、長尺原稿の場合は（ステップＳ１１）、「原稿補正」が設定された場合であっても（ステップＳ２２）、「画像補正」が設定された場合と同じく、コーナガイドであることが要求される（ステップＳ２４）。これに対し、この図１３に示す第２例の動作シーケンスでは、長尺原稿であっても（ステップＳ１１）、「原稿補正」が設定された場合は（ステップＳ２２）、「コーナガイド」であるか「センタガイド」であるかを問わずに、原稿の搬送および読取りが行なわれる（ステップＳ１７，Ｓ１８）。すなわち、この第２例では、長尺原稿であっても「原稿補正」により原稿の姿勢が正されるため、「センタガイド」であっても原稿の搬送および読取りを行なうこととしている。
【０１３６】
ここでは、画像読取装置１０の動作シーケンスについて説明したが、この動作シーケンスは、画像読取装置１０で読み取って得た画像信号の送り先を問うものではなく、その画像信号を画像形成装置２０に送ってコピー画像の形成に用いてもよい。あるいはその画像信号をＦＡＸインタフェース５０（図１参照）を介してファクシミリ送信し、あるいはＩ／Ｏインタフェース４０を介してパーソナルコンピュータ等に送信してもよい。
【０１３７】
また、ここでは、本発明の画像読取装置の一例および本発明の複写機の一例を含む複合機について説明したが、本発明は、単機能の画像読取装置あるいは複写機にも適用可能である。
【符号の説明】
【０１３８】
１    複合機
１０    画像読取装置
１１    原稿トレイ
１２    原稿排出トレイ
２０    画像形成装置
３０    信号処理部
４０    Ｉ／Ｏインタフェース
５０    ＦＡＸインタフェース
６０    制御部
６１    ユーザインタフェース
７０    回路部
８０    補正切替設定画面
９１    長尺原稿設定ボタン
１１７，１１７ａ，１１７ｂ    案内部材
１１８    原稿搬入口
１１９    開閉カバー
１３６    読取センサ
６１１    スタートボタン
６１２    設定ボタン
６１３    タッチパネル
７０１ａ，７０２ｂ    スライドアーム
７０２ａ，７０２ｂ    ラックギア
７１０    ピニオンギア
【図１】
2018157569.tif 000003
【図２】
2018157569.tif 000004
【図３】
2018157569.tif 000005
【図４】
2018157569.tif 000006
【図５】
2018157569.tif 000007
【図６】
2018157569.tif 000008
【図７】
2018157569.tif 000009
【図８】
2018157569.tif 000010
【図９】
2018157569.tif 000011
【図１０】
2018157569.tif 000012
【図１１】
2018157569.tif 000013
【図１２】
2018157569.tif 000014
【図１３】
2018157569.tif 000015
【手続補正書】
【提出日】平成30年4月24日(2018.4.24)
【手続補正１】
【補正対象書類名】特許請求の範囲
【補正対象項目名】全文
【補正方法】変更
【補正の内容】
【特許請求の範囲】
【請求項１】
原稿が載置される原稿載置部と、
前記原稿を搬送して読取位置を通過させる原稿搬送部と、
前記読取位置で原稿の画像を読み取る原稿読取部とを備え、
前記原稿が搬送方向の長さが所定の長さを超える長尺原稿のとき、前記搬送される原稿の傾き補正処理を行う第１の補正処理を行い、
前記原稿が長尺原稿ではないとき、前記読み取られた画像の傾き補正処理を行う第２の補正処理を行うことを特徴とする画像読取装置。
【請求項２】
原稿が長尺原稿である旨を受け付ける受付部を備え、
長尺原稿である旨を受け付けると、前記原稿を長尺原稿とすることを特徴とする請求項１記載の画像読取装置。
【請求項３】
前記原稿載置部は、長尺原稿が載置されたことを検出する検出部を更に備え、
長尺原稿が載置されたことを検出すると、前記原稿を長尺原稿とすることを特徴とする請求項１記載の画像読取装置。
【請求項４】
前記第１の補正処理は、前記原稿搬送部による原稿搬送の、前記読取位置よりも上流側において該原稿の傾きを補正することを特徴とする請求項１から３のうちのいずれか１項に記載の画像読取装置。
【請求項５】
前記第２の補正処理は、前記原稿読取部で生成された画像信号に基づいて傾きが補正された画像を表わす新たな画像信号を生成することを特徴とする請求項１から４のうちのいずれか１項に記載の画像読取装置。
【請求項６】
請求項１から５のうちいずれか１項記載の画像読取装置と、
前記画像読取装置で生成された画像信号に基づく画像を用紙上に形成する画像形成装置とを備えたことを特徴とする複写機。
【手続補正２】
【補正対象書類名】明細書
【補正対象項目名】０００５
【補正方法】変更
【補正の内容】
【０００５】
本発明は、原稿が長尺か否かに応じた補正処理が行われる画像読取装置および複写機を提供することを目的とする。
【手続補正３】
【補正対象書類名】明細書
【補正対象項目名】０００６
【補正方法】変更
【補正の内容】
【０００６】
請求項１は、
原稿が載置される原稿載置部と、
前記原稿を搬送して読取位置を通過させる原稿搬送部と、
前記読取位置で原稿の画像を読み取る原稿読取部とを備え、
前記原稿が搬送方向の長さが所定の長さを超える長尺原稿のとき、前記搬送される原稿の傾き補正処理を行う第１の補正処理を行い、
前記原稿が長尺原稿ではないとき、前記読み取られた画像の傾き補正処理を行う第２の補正処理を行うことを特徴とする画像読取装置である。
【手続補正４】
【補正対象書類名】明細書
【補正対象項目名】０００７
【補正方法】変更
【補正の内容】
【０００７】
請求項２は、
原稿が長尺原稿である旨を受け付ける受付部を備え、
長尺原稿である旨を受け付けると、前記原稿を長尺原稿とすることを特徴とする請求項１記載の画像読取装置である。
【手続補正５】
【補正対象書類名】明細書
【補正対象項目名】０００８
【補正方法】変更
【補正の内容】
【０００８】
請求項３は、
前記原稿載置部は、長尺原稿が載置されたことを検出する検出部を更に備え、
長尺原稿が載置されたことを検出すると、前記原稿を長尺原稿とすることを特徴とする請求項１記載の画像読取装置である。
【手続補正６】
【補正対象書類名】明細書
【補正対象項目名】０００９
【補正方法】変更
【補正の内容】
【０００９】
請求項４は、
前記第１の補正処理は、前記原稿搬送部による原稿搬送の、前記読取位置よりも上流側において該原稿の傾きを補正することを特徴とする請求項１から３のうちのいずれか１項に記載の画像読取装置である。
【手続補正７】
【補正対象書類名】明細書
【補正対象項目名】００１０
【補正方法】変更
【補正の内容】
【００１０】
請求項５は、
前記第２の補正処理は、前記原稿読取部で生成された画像信号に基づいて傾きが補正された画像を表わす新たな画像信号を生成することを特徴とする請求項１から３のうちのいずれか１項に記載の画像読取装置である。
【手続補正８】
【補正対象書類名】明細書
【補正対象項目名】００１１
【補正方法】変更
【補正の内容】
【００１１】
請求項６は、
請求項１から５のうちいずれか１項記載の画像読取装置と、
前記画像読取装置で生成された画像信号に基づく画像を用紙上に形成する画像形成装置とを備えたことを特徴とする複写機である。
【手続補正９】
【補正対象書類名】明細書
【補正対象項目名】００１２
【補正方法】変更
【補正の内容】
【００１２】
請求項１の画像読取装置および請求項６の複写機によれば、原稿が長尺か否かに応じた補正処理が行われる。
【手続補正１０】
【補正対象書類名】明細書
【補正対象項目名】００１３
【補正方法】変更
【補正の内容】
【００１３】
請求項２の画像読取装置によれば、ユーザによる、長尺原稿に適した補正処理を行わせる指定を可能とする。
【手続補正１１】
【補正対象書類名】明細書
【補正対象項目名】００１４
【補正方法】変更
【補正の内容】
【００１４】
請求項３の画像読取装置によれば、長尺原稿であることの設定のし忘れが防止される。
【手続補正１２】
【補正対象書類名】明細書
【補正対象項目名】００１５
【補正方法】変更
【補正の内容】
【００１５】
請求項４の画像読取装置によれば、長尺原稿の読取位置での読取りの開始前に原稿の傾きを低減できる。
【手続補正１３】
【補正対象書類名】明細書
【補正対象項目名】００１６
【補正方法】変更
【補正の内容】
【００１６】
請求項５の画像読取装置によれば、本構成を採用しない場合に比べ、音の発生を低減できる。